(57)【要約】【課題】表示画面に表示されている画像の位置や属性の入れ替えを簡単な操作で行うことができる画像処理装置および画像処理プログラムを提供すること。【解決手段】ＬＣＤ４１の右画面４１ｂに表示されている画像のうち、２つの画像Ｂ，Ｃを選択すると、画像が表示される位置を示す位置情報が入れ替えられて記憶され、その入れ替えられた位置情報と画像を描画する元データである描画情報との組み合わせに基づいて、ＬＣＤ４１の右画面４１ｂに表示される画像が入れ替えられて再表示される。よって、操作者は、ＬＣＤ４１の右画面４１ｂに表示されている画像を２つタッチする操作のみで、画像の位置を入れ替えることができるので、簡単な操作で画像の入れ替えを行うことができる。【選択図】図１１
2008294523.tif 000002
【特許請求の範囲】
【請求項１】
複数の画像が表示される表示画面を有する表示装置と、
その表示装置の表示画面に画像を表示させる画像情報と、前記表示画面における画像が表示される位置を示す位置情報とを対応付けして記憶する記憶手段と、
前記表示装置の表示画面に表示される画像を選択する選択手段と、
その選択手段により複数の画像が選択された場合に、選択された１の画像を表示させる第１画像情報と他の１の画像を表示させる第２画像情報、又は、前記第１画像情報に対応付けされた第１位置情報と前記第２画像情報に対応付けされた第２位置情報とを入れ替えて前記記憶手段に記憶する入替記憶手段と、
その入替記憶手段により入れ替えられて記憶された画像情報と位置情報との組み合わせに基づいて、前記選択手段により選択された画像の前記表示画面における位置を入れ替えて再表示する表示手段とを備えていることを特徴とする画像処理装置。
【請求項２】
前記記憶手段は、更に、前記表示装置の表示画面に画像を表示させる画像情報と、前記表示画面に表示される画像の表示態様を変化させる属性情報とを対応付けして記憶するものであり、
前記入替記憶手段は、前記選択手段により複数の画像が選択された場合に、選択された１の画像を表示させる第１画像情報と他の１の画像を表示させる第２画像情報、又は、前記第１画像情報に対応付けされた第１位置情報および第１属性情報と前記第２画像情報に対応付けされた第２位置情報および第２属性情報とを入れ替えて前記記憶手段に記憶すると共に、
前記表示手段は、前記入替手段により入れ替えられて記憶された画像情報と、その画像情報に対応付けされた位置情報および属性情報との組み合わせに基づいて、前記選択手段により選択された画像の前記表示画面における位置および表示態様を入れ替えて再表示するものであることを特徴とする請求項１記載の画像処理装置。
【請求項３】
複数の画像が表示される表示画面を有する表示装置と、
その表示装置の表示画面に画像を表示させる画像情報と、前記表示画面に表示される画像の表示態様を変化させる属性情報とを対応付けして記憶する記憶手段と、
前記表示装置の表示画面に表示される画像を選択する選択手段と、
その選択手段により複数の画像が選択された場合に、選択された１の画像を表示させる第１画像情報と他の１の画像を表示させる第２画像情報、又は、前記第１画像情報に対応付けされた第１属性情報と前記第２画像情報に対応付けされた第２属性情報とを入れ替えて前記記憶手段に記憶する入替記憶手段と、
その入替記憶手段により入れ替えられて記憶された画像情報と属性情報との組み合わせに基づいて、前記選択手段により選択された画像の前記表示画面における表示態様を入れ替えて再表示する表示手段とを備えていることを特徴とする画像処理装置。
【請求項４】
前記属性情報の１つは、前記表示装置の表示画面に表示される画像の大きさを変化させる大きさ情報であり、
前記表示手段は、前記入替記憶手段により入れ替えられて記憶された画像情報と大きさ情報との組み合わせに基づいて、前記選択手段により選択された画像の大きさを入れ替えて前記表示装置の表示画面に再表示するものであることを特徴とする請求項２又は３に記載の画像処理装置。
【請求項５】
前記属性情報の１つは、前記表示装置の表示画面に表示される画像の形状を変化させる形状情報であり、
前記表示手段は、前記入替記憶手段により入れ替えられて記憶された画像情報と形状情報との組み合わせに基づいて、前記選択手段により選択された画像の形状を入れ替えて前記表示装置の表示画面に再表示するものであることを特徴とする請求項２又は３に記載の画像処理装置。
【請求項６】
前記属性情報の１つは、前記表示装置の表示画面に表示される画像の色の配合を変化させる色彩情報であり、
前記表示手段は、前記入替記憶手段により入れ替えられて記憶された画像情報と色彩情報との組み合わせに基づいて、前記選択手段により選択された画像の色の配合を入れ替えて前記表示装置の表示画面に再表示するものであることを特徴とする請求項２又は３に記載の画像処理装置。
【請求項７】
前記選択手段により第１の画像が選択された後に、その第１の画像が連続して選択されると、２回目以降に選択された第１の画像の選択を無効とする無効手段を備えていることを特徴とする請求項１から６のいずれかに記載の画像処理装置。
【請求項８】
前記表示装置の表示画面に表示されるそれぞれの画像には、その表示画面の領域内において前記画像を選択可能な選択領域が設けられており、
前記表示装置は、前記表示画面の所定の選択領域が直接入力された場合に、その所定の選択領域に対応した入力情報を出力するものであり、
前記選択手段は、前記選択領域が直接入力されて出力される入力情報を検出した場合に、その選択領域に対応した画像を選択するものであることを特徴とする請求項１から７のいずれかに記載の画像処理装置。
【請求項９】
前記表示装置の表示画面は、複数の画面に分割され、前記複数の画像の表示と前記選択手段により選択された画像の表示とが分別されて表示されることを特徴とする請求項１から８のいずれかに記載の画像処理装置。
【請求項１０】
表示装置の表示画面に画像を表示させる画像情報と、前記表示画面における画像が表示される位置を示す位置情報とが対応付けされて記憶手段に記憶され、
前記表示装置の表示画面に表示される画像を選択する選択ステップと、
その選択ステップにより複数の画像が選択された場合に、選択された１の画像を表示させる第１画像情報と他の１の画像を表示させる第２画像情報、又は、前記第１画像情報に対応付けされた第１位置情報と前記第２画像情報に対応付けされた第２位置情報とを入れ替えて前記記憶手段に記憶する入替記憶ステップと、
その入替記憶ステップにより入れ替えられて記憶された画像情報と位置情報との組み合わせに基づいて、前記選択ステップにより選択された画像の前記表示画面における位置を入れ替えて再表示する表示ステップとを備えていることを特徴とする画像処理プログラム。
【請求項１１】
表示装置の表示画面に画像を表示させる画像情報と、前記表示画面に表示される画像の表示態様を変化させる属性情報とが対応付けされて記憶手段に記憶され、
前記表示装置の表示画面に表示される画像を選択する選択ステップと、
その選択ステップにより複数の画像が選択された場合に、選択された１の画像を表示させる第１画像情報と他の１の画像を表示させる第２画像情報、又は、前記第１画像情報に対応付けされた第１属性情報と前記第２画像情報に対応付けされた第２属性情報とを入れ替えて前記記憶手段に記憶する入替記憶ステップと、
その入替記憶ステップにより入れ替えられて記憶された画像情報と属性情報との組み合わせに基づいて、前記選択ステップにより選択された画像の前記表示画面における表示態様を入れ替えて再表示する表示ステップとを備えていることを特徴とする画像処理プログラム。
【発明の詳細な説明】
【技術分野】
【０００１】
本発明は、画像処理装置および画像処理プログラムに関し、特に、表示画面に表示されている画像の位置や属性の入れ替えを簡単な操作で行うことができる画像処理装置および画像処理プログラムに関するものである。
【背景技術】
【０００２】
特開平１０−２９３８３８号公報に開示されているように、写真や絵などの画像を表示する場合に、画像が表示される背景の色や柄および画像が表示される位置などが予め設定されたテンプレートを選択し、そのテンプレートに基づいて画像を表示する画像編集装置が知られている。この画像編集装置では、画像とテンプレートとが選択されると、テンプレートにより定められた所定の位置に画像が表示される。よって、複数の画像とテンプレートとを選択する簡単な操作だけで、操作者が所望する画像の配置および背景となる表示態様を設定することができる。
【特許文献１】特開平１０−２９３８３８号公報
【発明の開示】
【発明が解決しようとする課題】
【０００３】
しかしながら、テンプレートを用いる画像編集装置では、複数の画像とテンプレートとを選択する簡単な操作だけで所望の表示態様を設定できるが、必ずしも、操作者が所望する画像の配置位置や背景となるテンプレートがあるとは限らない。操作者が所望するテンプレートがない場合には、所望する表示態様に近似したテンプレートを選択し、表示された画像の位置や大きさ、色彩、明度などを編集しなければならず、煩雑な作業が必要となってしまう。
【０００４】
例えば、表示された１の画像と他の画像との配置位置を入れ替えようとした場合には、１の画像をドラッグアンドドロップして移動させ、その後、他の画像をドラッグアンドドロップして１の画像が配置された位置まで移動させる。そして、移動しておいた１の画像を他の画像が配置されていた位置まで移動させることで配置位置の入れ替えを行うことができる。よって、表示された画像を入れ替える場合には、少なくとも３回の操作が必要となり、煩雑な作業となってしまうという問題点があった。また、テンプレートにより設定される背景が、画像の配置位置に対応して白抜きされていると、画像をドラッグアンドドロップして入れ替える場合に正規の位置に移動させる操作が困難になるという問題点もあった。
【０００５】
また、画像の配置位置に対して、画像の大きさや色彩、明度などの属性が対応付けされている場合には、ドラッグアンドドロップにより画像を入れ替えた後に、属性を編集しなければならず、更に煩雑な作業となってしまうという問題点があった。
【０００６】
本発明は、上記問題点を解決するためになされたものであり、表示画面に表示されている画像の位置や属性の入れ替えを簡単な操作で行うことができる画像処理装置および画像処理プログラムを提供することを目的としている。
【課題を解決するための手段】
【０００７】
上記目的を達成するために、請求項１記載の画像処理装置は、複数の画像が表示される表示画面を有する表示装置と、その表示装置の表示画面に画像を表示させる画像情報と、前記表示画面における画像が表示される位置を示す位置情報とを対応付けして記憶する記憶手段と、前記表示装置の表示画面に表示される画像を選択する選択手段と、その選択手段により複数の画像が選択された場合に、選択された１の画像を表示させる第１画像情報と他の１の画像を表示させる第２画像情報、又は、前記第１画像情報に対応付けされた第１位置情報と前記第２画像情報に対応付けされた第２位置情報とを入れ替えて前記記憶手段に記憶する入替記憶手段と、その入替記憶手段により入れ替えられて記憶された画像情報と位置情報との組み合わせに基づいて、前記選択手段により選択された画像の前記表示画面における位置を入れ替えて再表示する表示手段とを備えている。
【０００８】
請求項２記載の画像処理装置は、請求項１記載の画像処理装置において、前記記憶手段は、更に、前記表示装置の表示画面に画像を表示させる画像情報と、前記表示画面に表示される画像の表示態様を変化させる属性情報とを対応付けして記憶するものであり、前記入替記憶手段は、前記選択手段により複数の画像が選択された場合に、選択された１の画像を表示させる第１画像情報と他の１の画像を表示させる第２画像情報、又は、前記第１画像情報に対応付けされた第１位置情報および第１属性情報と前記第２画像情報に対応付けされた第２位置情報および第２属性情報とを入れ替えて前記記憶手段に記憶すると共に、前記表示手段は、前記入替手段により入れ替えられて記憶された画像情報と、その画像情報に対応付けされた位置情報および属性情報との組み合わせに基づいて、前記選択手段により選択された画像の前記表示画面における位置および表示態様を入れ替えて再表示するものである。
【０００９】
請求項３記載の画像処理装置は、複数の画像が表示される表示画面を有する表示装置と、その表示装置の表示画面に画像を表示させる画像情報と、前記表示画面に表示される画像の表示態様を変化させる属性情報とを対応付けして記憶する記憶手段と、前記表示装置の表示画面に表示される画像を選択する選択手段と、その選択手段により複数の画像が選択された場合に、選択された１の画像を表示させる第１画像情報と他の１の画像を表示させる第２画像情報、又は、前記第１画像情報に対応付けされた第１属性情報と前記第２画像情報に対応付けされた第２属性情報とを入れ替えて前記記憶手段に記憶する入替記憶手段と、その入替記憶手段により入れ替えられて記憶された画像情報と属性情報との組み合わせに基づいて、前記選択手段により選択された画像の前記表示画面における表示態様を入れ替えて再表示する表示手段とを備えている。
【００１０】
請求項４記載の画像処理装置は、請求項２又は３に記載の画像処理装置において、前記属性情報の１つは、前記表示装置の表示画面に表示される画像の大きさを変化させる大きさ情報であり、前記表示手段は、前記入替記憶手段により入れ替えられて記憶された画像情報と大きさ情報との組み合わせに基づいて、前記選択手段により選択された画像の大きさを入れ替えて前記表示装置の表示画面に再表示するものである。
【００１１】
請求項５記載の画像処理装置は、請求項２又は３に記載の画像処理装置において、前記属性情報の１つは、前記表示装置の表示画面に表示される画像の形状を変化させる形状情報であり、前記表示手段は、前記入替記憶手段により入れ替えられて記憶された画像情報と形状情報との組み合わせに基づいて、前記選択手段により選択された画像の形状を入れ替えて前記表示装置の表示画面に再表示するものである。
【００１２】
請求項６記載の画像処理装置は、請求項２又は３に記載の画像処理装置において、前記属性情報の１つは、前記表示装置の表示画面に表示される画像の色の配合を変化させる色彩情報であり、前記表示手段は、前記入替記憶手段により入れ替えられて記憶された画像情報と色彩情報との組み合わせに基づいて、前記選択手段により選択された画像の色の配合を入れ替えて前記表示装置の表示画面に再表示するものである。
【００１３】
なお、属性情報には、大きさ情報および形状（レイアウト）情報、色彩情報の他に、画像に施された補正内容を示す補正情報や、画像の明るさを変化させる明度情報、画像の解像度を変化させる解像度情報などが例示される。
【００１４】
また、請求項４から６のいずれかに記載の画像処理装置において、表示手段は、入替記憶手段により位置情報と属性情報とを入れ替えて記憶する場合（請求項２に従属する場合）には、選択手段により選択された画像の表示装置における位置および表示態様を入れ替えて再表示し、入替記憶手段が属性情報を入れ替えて記憶する場合（請求項３に従属する場合）には、選択手段により選択された画像の表示装置における表示される画像の表示態様を入れ替えて再表示する。
【００１５】
請求項７記載の画像処理装置は、請求項１から６のいずれかに記載の画像処理装置において、前記選択手段により第１の画像が選択された後に、その第１の画像が連続して選択されると、２回目以降に選択された第１の画像の選択を無効とする無効手段を備えている。
【００１６】
請求項８記載の画像処理装置は、請求項１から７のいずれかに記載の画像処理装置において、前記表示装置の表示画面に表示されるそれぞれの画像には、その表示画面の領域内において前記画像を選択可能な選択領域が設けられており、前記表示装置は、前記表示画面の所定の選択領域が直接入力された場合に、その所定の選択領域に対応した入力情報を出力するものであり、前記選択手段は、前記選択領域が直接入力されて出力される入力情報を検出した場合に、その選択領域に対応した画像を選択するものである。
【００１７】
請求項９記載の画像処理装置は、請求項１から８のいずれかに記載の画像処理装置において、前記表示装置の表示画面は、複数の画面に分割され、前記複数の画像の表示と前記選択手段により選択された画像の表示とが分別されて表示される。
【００１８】
請求項１０記載の画像処理プログラムは、表示装置の表示画面に画像を表示させる画像情報と、前記表示画面における画像が表示される位置を示す位置情報とが対応付けされて記憶手段に記憶され、前記表示装置の表示画面に表示される画像を選択する選択ステップと、その選択ステップにより複数の画像が選択された場合に、選択された１の画像を表示させる第１画像情報と他の１の画像を表示させる第２画像情報、又は、前記第１画像情報に対応付けされた第１位置情報と前記第２画像情報に対応付けされた第２位置情報とを入れ替えて前記記憶手段に記憶する入替記憶ステップと、その入替記憶ステップにより入れ替えられて記憶された画像情報と位置情報との組み合わせに基づいて、前記選択ステップにより選択された画像の前記表示画面における位置を入れ替えて再表示する表示ステップとを備えている。
【００１９】
請求項１１記載の画像処理プログラムは、表示装置の表示画面に画像を表示させる画像情報と、前記表示画面に表示される画像の表示態様を変化させる属性情報とが対応付けされて記憶手段に記憶され、前記表示装置の表示画面に表示される画像を選択する選択ステップと、その選択ステップにより複数の画像が選択された場合に、選択された１の画像を表示させる第１画像情報と他の１の画像を表示させる第２画像情報、又は、前記第１画像情報に対応付けされた第１属性情報と前記第２画像情報に対応付けされた第２属性情報とを入れ替えて前記記憶手段に記憶する入替記憶ステップと、その入替記憶ステップにより入れ替えられて記憶された画像情報と属性情報との組み合わせに基づいて、前記選択ステップにより選択された画像の前記表示画面における表示態様を入れ替えて再表示する表示ステップとを備えている。
【発明の効果】
【００２０】
請求項１記載の画像処理装置によれば、操作者は、表示画面に表示されている画像を複数選択する操作のみで、画像の位置を入れ替えることができるので、簡単な操作で画像の入れ替えを行うことができるという効果がある。
【００２１】
請求項２記載の画像処理装置によれば、請求項１記載の画像処理装置の奏する効果に加え、操作者は、表示画面に表示されている画像を複数選択する操作のみで、画像の位置を入れ替えるだけでなく表示態様も一度に入れ替えることができるという効果がある。
【００２２】
請求項３記載の画像処理装置によれば、操作者は、表示画面に表示されている画像を複数選択する操作のみで、画像の表示態様を変化させることができるので、簡単な操作で画像の表示態様を変化させる属性の入れ替えを行うことができるという効果がある。
【００２３】
請求項４記載の画像処理装置によれば、請求項２又は３に記載の画像処理装置の奏する効果に加え、入れ替えたい画像を選択するだけで、表示画面における画像の大きさを入れ替えて表示することができるという効果がある。
【００２４】
請求項５記載の画像処理装置によれば、請求項２又は３に記載の画像処理装置の奏する効果に加え、入れ替えたい画像を選択するだけで、表示画面における画像の形状を入れ替えて表示することができるという効果がある。
【００２５】
請求項６記載の画像処理装置によれば、請求項２又は３に記載の画像処理装置の奏する効果に加え、入れ替えたい画像を選択するだけで、表示画面における画像の色の配合を入れ替えて表示することができるという効果がある。
【００２６】
ここで、連続して同じ画像が選択手段により選択されると、複数の画像が同じ画像となるので、画像の位置や表示態様の入れ替えが行われない。また、操作者は、表示画面の見た目が全く変わらないので、現在、どの画像が選択されているのか、又は、入れ替えが終了しているのかなどの進行状態が不明となる。その結果、操作者は、最初から入れ替え操作をやり直さなければならなくなり、使い勝手が悪くなってしまう。
【００２７】
請求項７記載の画像処理装置によれば、請求項１から６のいずれかに記載の画像処理装置の奏する効果に加え、同じ画像が選択されて画像の位置や表示態様が入れ替わらないことを防止できると共に、進行状態が不明となることを抑制して使い勝手を向上することができるという効果がある。
【００２８】
請求項８記載の画像処理装置によれば、請求項１から７のいずれかに記載の画像処理装置の奏する効果に加え、選択領域が直接入力されて出力される入力情報を検出した場合に、その選択領域に対応した画像を選択手段が選択するので、選択領域を直接入力（例えば、指や棒でタッチしたり接近したり）する操作のみで画像を選択することができる。よって、画像の位置や表示態様を入れ替える場合の操作性をさらに向上することができるという効果がある。
【００２９】
請求項９記載の画像処理装置によれば、請求項１から８のいずれかに記載の画像処理装置の奏する効果に加え、複数の画像と選択された画像とが分別して表示されるので、選択された画像を確認しつつ他の画像を選択することができ、使い勝手が向上するという効果がある。
【００３０】
また、選択された画像と表示態様を変化させる属性の種類とを分別して表示するものとしても良く、この構成では、表示態様を入れ替えたい画像を確認しつつその入れ替えたい属性の選択などもできるので、より使い勝手が向上する。
【００３１】
請求項１０記載の画像処理プログラムによれば、表示画面に表示されている画像を操作者が複数選択するだけで画像の位置を入れ替えることができ、簡単な操作で画像の入れ替えを行うことができる画像処理装置を提供することができるという効果がある。
【００３２】
請求項１１記載の画像処理プログラムによれば、表示画面に表示されている画像を操作者が複数選択するだけで画像の表示態様を入れ替えることができ、簡単な操作で画像の表示態様の入れ替えを行うことができる画像処理装置を提供することができるという効果がある。
【発明を実施するための最良の形態】
【００３３】
以下、本発明の好ましい実施形態について、添付図面を参照して説明する。図１は、本発明における実施形態の複合機１の外観構成を示す斜視図である。なお、以下の実施形態は本発明を具体化した一例にすぎず、本発明の要旨を変更しない範囲で、実施例を適宜変更できることは言うまでもない。
【００３４】
図１に示すように、本複合機１は、下部に設けられたプリンタ２と、上部に設けられたスキャナ３と、スキャナ３の正面側に設けられた操作パネル４とを一体的に備えたＭＦＰ（Ｍｕｌｔｉ  Ｆｕｎｃｔｉｏｎ  Ｐｅｒｉｐｈｅｒａｌ）であり、コピー機能、ファクシミリ機能、パーソナルコンピュータ（以下単に「ＰＣ」と称す）など外部のコンピュータ（図示せず）から受信したデータを記録用紙に記録（印刷）するプリンタ機能など複数の機能を実現するものである。なお、スキャナ３の内部構成の構成は本発明に直接関係がないので、ここでは詳細な説明は省略する。
【００３５】
プリンタ２は、スキャナ３で読み取られた画像データ或いは外部から入力された画像データに基づいて、記録用紙上に画像を記録する画像記録装置である。このプリンタ２は、上述したように、スキャナ３の下方に配設されている。スキャナ３とプリンタ２は、それらの背面が同一面となるように位置決めされているため、複合機１の背面は凸凹のない平坦形状となっている。
【００３６】
プリンタ２の正面側の端面１７は、上述したように原稿読取台６が横長の直方体に形成されているため、スキャナ３の正面側の端面１８から所定幅だけ正面側に突出している。以下、このように正面側に突出したプリンタ２の正面側の端部を突出部１６と称する。なお、プリンタ２の横幅はスキャナ３の横幅に合わせて形成されている。従って、複合機１は平面視で略正方形をなしている。
【００３７】
プリンタ２の上記開口５の上側には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。また、接続パネル７０の右端側にはスロット部７２が配設されている。スロット部７２はメモリカード（カード型メモリ）を装填可能な複数のカードスロットが設けられている。カードスロットにメモリカードが装填され、該装填されたメモリカードから画像データが後述の制御部２０（図２参照）により読み出される。
【００３８】
複合機１の正面側には、操作パネル４が設けられている。操作パネル４は、突出部１６の上方の空きスペースに適合するよう、横長形状に形成されている。換言すれば、操作パネル４は、その縦幅が、スキャナ３の縦幅からプリンタ２の縦幅を減じた長さ(空きスペースの縦幅)に収まる寸法に形成されている。操作パネル４は、プリンタ２やスキャナ３を操作するためのものであり、各種操作キー４０と液晶ディスプレイ（ＬＣＤ：Ｌｉｑｕｉｄ  Ｃｒｙｓｔａｌ  Ｄｉｓｐｌａｙ）４１とを具備する。ユーザは、操作パネル４を用いて、所望の指令を入力することができる。なお、ＬＣＤ４１は、縦横比３対４のＬＣＤパネルが２つ並べられており、縦横比３対８に構成されている。また、複合機１に所定の指令が入力されると、その入力された情報に基づいて該複合機１の動作が制御部２０（図２参照）によって制御される。
【００３９】
なお、複合機１は、操作パネル４から入力された指令のほか、ＰＣなどのコンピュータに接続されて該コンピュータからプリンタドライバやスキャナドライバ等を介して送信される指令に基づいて動作するようにシステム構成されている。
【００４０】
次に、図２を参照して、本実施形態の複合機１の電気的構成について説明する。図２は、複合機１の電気的構成を示すブロック図である。複合機１は、ケーブルを介してＰＣと接続可能なインターフェイス（以下「Ｉ／Ｆ」と称する）であるパラレルＩ／Ｆ２９と、デジタルカメラと接続可能なＵＳＢ端子７１と、外部メディア（例えば、メモリカードなどフラッシュメモリにより構成される記録媒体）を着脱自在に装着可能なスロット部７２とを備えている。このため、ＰＣ、デジタルカメラ、外部メディアから画像データを入力することができるようになっている。そして、入力された画像データに対して、後述するアルバム作成処理（図３参照）を行うことができるように構成されている。
【００４１】
制御部２０は、プリンタ２、スキャナ３及び操作パネル４（図１参照）を含む複合機１の動作を統括的に制御するものである。制御部２０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。
【００４２】
ＣＰＵ２１は、この複合機１を総括的に制御する中央演算処理装置である。ＲＯＭ２２は、ＣＰＵ２１により実行される各種制御プログラム（例えば、図３〜図７に示すフローチャートに示すプログラム）やそのプログラムを実行する際に用いられる固定値などを記憶するものである。
【００４３】
また、ＲＯＭ２２には、テンプレート情報記憶エリア２２ａが設けられている。テンプレート情報記憶エリア２２ａは、画像を表示する位置および画像が表示される形状が予め定められた複数のテンプレート情報が記憶されている。本実施形態では、テンプレート情報記憶エリア２２ａに、表示する画像数に応じた複数のテンプレートが一つのテンプレート情報として記憶されると共に、そのテンプレート情報が画像数に応じた数分記憶されている。
【００４４】
ＲＡＭ２３は、ＣＰＵ２１が上記プログラムを実行する際に用いる各種データを一時的に記録する記憶領域又は作業領域として使用される書き換え可能なメモリである。ＲＡＭ２３には、複合機１の起動に伴って読み込みが指示されているプログラムのためのロードエリア、及び各処理に必須の固定値などを記憶するためのエリア等として固定的に確保される領域以外に、実行されるプログラムに対して動的に割り当てられる可変領域が設けられている。各プログラムの実行時には、この可変領域の空き領域（使用されていない領域）において、そのプログラム動作に必要なメモリ領域（記憶領域や作業領域）が確保される。
【００４５】
また、ＲＡＭ２３には、スロット部７２にメモリカード（図示せず）が差し込まれた場合に、そのメモリカードに記憶されている情報を読み出して記憶する画像ファイル一時記憶エリア２３ａと、画像に対して付与または施された編集内容を示す情報（属性情報）が記憶される画像情報記憶エリア２３ｂとが設けられている。なお、画像情報記憶エリア２３ｂは、後述するアルバム作成処理（図３参照）により、画像が選択されると、その選択された画像毎にエリアが設けられる。
【００４６】
画像ファイル一時記憶エリア２３ａに記憶される画像ファイルは、例えば、公知のビットマップデータであり、一画素毎の画素値（ＲＧＢ値）で構成されている。ＲＧＢ値は、光の３原色である赤を表すＲ値と、緑を表すＧ値と、青を示すＢ値とを構成成分とする値であり、このＲＧＢ値の値が大きいほど、輝度（明度）は高くなる。さらに、画像ファイルは、画像の大きさや色彩、解像度、補正された内容などを示す情報も含まれている。
【００４７】
画像情報記憶エリア２３ｂには、位置情報記憶エリア２３ｂ１と、レイアウト情報記憶エリア２３ｂ２と、補正情報記憶エリア２３ｂ３と、大きさ情報記憶エリア２３ｂ４と、色彩情報記憶エリア２３ｂ５と、明度情報記憶エリア２３ｂ６と、解像度記憶エリア２３ｂ７と、描画情報記憶エリア２３ｂ８とが設けられている。
【００４８】
位置情報記憶エリア２３ｂ１は、後述するアルバム作成処理（図３参照）により画像が表示される位置が設定された場合に、その画像が表示される表示画面における位置を示す位置情報が記憶される。表示画面における位置を示す位置情報とは、例えば、座標を示す情報である。
【００４９】
レイアウト情報記憶エリア２３ｂ２は、後述するアルバム作成処理（図３参照）により画像が表示される形状が設定された場合に、その画像の形状を示すレイアウト情報（形状情報）が記憶される。画像の形状を示すレイアウト情報とは、例えば、丸、三角、四角、星形などを示す情報である。
【００５０】
補正情報記憶エリア２３ｂ３は、画像に施されている補正を示す補正情報が記憶され、画像ファイル一時記憶エリア２３ａに記憶される対応する画像の補正情報が記憶される。補正情報とは、例えば、画像の輪郭を強調する輪郭補正や画像をぼかすぼかし補正などの補正内容を示す情報である。
【００５１】
大きさ情報記憶エリア２３ｂ４は、画像の大きさを示す大きさ情報が記憶され、画像ファイル一時記憶エリア２３ａに記憶される対応する画像の大きさ情報が記憶される。
【００５２】
色彩情報記憶エリア２３ｂ５は、画像に付与されている色彩（画像の色の配合）を示す色彩情報が記憶され、画像ファイル一時記憶エリア２３ａに記憶される対応する画像の色彩情報が記憶される。
【００５３】
明度情報記憶エリア２３ｂ６は、画像に付与されている明度（画像の明るさ）を示す明度情報が記憶され、画像ファイル一時記憶エリア２３ａに記憶される対応する画像の明度情報が記憶される。
【００５４】
解像度情報記憶エリア２３ｂ７は、画像の解像度（画像の細かさ）を示す解像度情報が記憶され、画像ファイル一時記憶エリア２３ａに記憶される対応する画像の解像度情報が記憶される。
【００５５】
描画情報記憶エリア２３ｂ８は、上述したレイアウト情報および補正情報、大きさ情報、色彩情報、明度情報、解像度情報により加工（編集）される元データとなる描画情報が記憶される。
【００５６】
次に、制御部２０とバス２５を介して接続されるＡＳＩＣ２６について説明する。ＡＳＩＣ２６には、複合機１に所望の指令を入力する操作キー４０の押下（入力）を検出して、所定のコード信号を出力するパネルゲートアレイ（パネルＧＡ）２７が接続されている。さらに、ＡＳＩＣ２６には、ＬＣＤ４１の画面表示を制御するＬＣＤコントローラ２８や、スピーカ７４を鳴動させるアンプ７３、一般公衆回線３３及びモデム３２に接続されるＮＣＵ（Ｎｅｔｗｏｒｋ  Ｃｏｎｔｒｏｌ  Ｕｎｉｔ）３１が接続されている。
【００５７】
次に、図３〜図７に示すフローチャートと、図８〜図１１に示すＬＣＤ４１の表示態様を示した図とにより、上記のように構成された複合機１において実行されるアルバム作成処理について説明する。図３〜図７は、複合機１のＣＰＵ２１により実効されるアルバム実行処理を示したフローチャートであり、図８〜図１１は、液晶ディスプレイ４１の表示態様を示した図である。
【００５８】
なお、アルバム作成処理は、操作者により操作キー４０が操作されて、アルバム作成の機能が選択された場合に実行される。また、本実施形態では、メモリカードが装着された場合に、アルバム作成の機能が実行可能になるように構成されている。よって、操作者によりメモリカードが装着されると、そのメモリカードに記憶される写真や絵などの画像ファイルが読み出され、画像ファイル一時記憶エリア２３ａに記憶される。
【００５９】
また、メモリカードが装着された場合だけでなく、外部のＰＣなどから画像ファイルを受信したり、外部回線から画像ファイルを受信した場合に、アルバム作成の機能が実行されるように構成しても良い。
【００６０】
図３は、複合機１のＣＰＵ２１により実行されるアルバム作成処理を示したフローチャートである。なお、以降の説明では、アルバム作成処理の実行に際してＬＣＤ４１の表示態様が逐次変化するが、そのＬＣＤ４１の表示態様の変化について図９〜図１１を参照しつつ説明する。
【００６１】
操作者によりアルバム作成の機能が選択され、アルバム作成処理が実行されると、まず、画像ファイル一時記憶エリア２３ａに記憶されている画像ファイルを読み出し、その画像ファイルにより描画される画像の一覧を、ＬＣＤ４１の左画面４１ａに表示する（Ｓ１０１）。Ｓ１０１の処理が実行された状態のＬＣＤ４１の表示態様は、図８（ａ）の状態となる。
【００６２】
上述したように、ＬＣＤ４１は、２つのＬＣＤパネルで構成され左右を分割して表示可能である。そのため、図８（ａ）に示すように、左画面４１ａと右画面４１ｂとに２分割されている。なお、以下の説明では、左画面４１ａに表示されるとは、並べられた２つのＬＣＤパネルのうち左側のパネル（図８〜図１１における左側のパネル）にのみ表示されることを意味し、右画面４１ｂに表示されるとは、並べられた２つのＬＣＤパネルのうち右側のパネル（図８〜図１１における右側のパネル）にのみ表示されることを意味する。
【００６３】
Ｓ１０１の処理が実行されると、ＬＣＤ４１の左画面４１ａには画像ファイル一時記憶エリア２３ａから読みだされた画像ファイルに基づいた複数の画像が表示される。複数の画像は、それぞれ四角の枠で囲まれており、その枠内をタッチすることで１の画像を選択することができる。なお、図８（ａ）のＬＣＤ４１の左画面４１ａの表示態様をサムネイル画面とも言う。
【００６４】
本実施形態では、サムネイル画面には、灯台の画像Ａと、家の画像Ｂと、教会の画像Ｃとが表示されている。また、ＬＣＤ４１の右画面４１ｂは、ワーク画面であり、Ｓ１０１の処理が実行された状態では、空欄となっている。
【００６５】
Ｓ１０２の処理では、操作者によってＬＣＤ４１の左画面４１ａに表示されている画像がタッチされたか否かを判別し（Ｓ１０２）、画像がタッチされたと判別されると（Ｓ１０２：Ｙｅｓ）、タッチされた画像をＬＣＤ４１の右画面４１ｂに表示し（Ｓ１０３）、画像がタッチされていないと判別されると（Ｓ１０２：Ｎｏ）、Ｓ１０３の処理を実行せずにＳ１０４の処理へ移行する。
【００６６】
図８（ｂ）には、操作者によりサムネイル画面の画像Ａがタッチされた状態が図示されており、操作者がＬＣＤ４１の画面上をタッチすることで、Ｓ１０２の処理がＹｅｓとなる。なお、画像Ａ〜Ｃ以外の枠内は、画像が表示されていないので、タッチされたとしてもＳ１０２の処理はＮｏとなる。
【００６７】
そして、図８（ｃ）に示すように、操作者により画像Ａがタッチされると、Ｓ１０３の処理においてＬＣＤ４１の右画面４１ｂに画像Ａが表示される。なお、ＬＣＤ４１の右画面４１ｂに１以上の画像が表示されると、ＬＣＤ４１の右上部には「ＯＫ」の表示がなされる。
【００６８】
また、この際、ＬＣＤ４１の右画面４１ｂのワーク画面内に仕切りが表示され、画像が１つ以上表示されると、右画面４１ｂを４分割する仕切りが表示される。さらに、図示しないが、５つ以上の画像が選択されると画面が９分割され、１０以上の画像が選択されると１６分割されるように構成されている。
【００６９】
Ｓ１０４の処理では、ＬＣＤ４１の右上部に表示された「ＯＫ」が操作者によりタッチされたか否かを判別し（Ｓ１０４）、「ＯＫ」がタッチされていないと判別されると（Ｓ１０４：Ｎｏ）、Ｓ１０２の処理へ戻り、画像がタッチされたか否かを再度判別する。よって、操作者により「ＯＫ」がタッチされるまで、任意の数の画像を選択して右画面４１ｂに表示することができる。
【００７０】
図８（ｄ）には、画像Ａ〜Ｃの３つの画像が選択されて右画面４１ｂに表示された表示態様が図示されている。なお、以下の説明では、画像Ａ〜Ｃの３つの画像が選択された場合について説明する。
【００７１】
一方、Ｓ１０４の処理で、操作者により「ＯＫ」がタッチされたと判別されると（Ｓ１０４：Ｙｅｓ）、操作者による画像の選択が終了したことになるので、右画面４１ｂに表示された画像数に対応したテンプレート情報をテンプレート情報記憶エリア２２ａから読み出し、画像数に応じた複数のテンプレートをＬＣＤ４１の左画面４１ａに表示する（Ｓ１０５）。
【００７２】
図９（ａ）には、Ｓ１０５の処理によりＬＣＤ４１の左画面４１ａにテンプレートが表示された表示態様が図示されている。図示するように、操作者により画像Ａ〜Ｃの３つの画像が選択されたので、テンプレートは、３つの画像を表示する領域が予め設定されたテンプレートが表示されている。
【００７３】
なお、図示しないが、Ｓ１０４の処理がＹｅｓとなり、操作者により選択された画像が決定されると、その選択された画像のそれぞれに対応した画像情報記憶エリア２３ｂがＲＡＭ２３に設けられる。つまり、本実施形態では、Ｓ１０４の処理がＹｅｓとなると、ＲＡＭ２３に３つの画像情報記憶エリア２３ｂが設けられることになる。この際、上述したように、選択された画像に対応した描画情報が画像ファイル一時記憶エリア２３ａから読み出されて描画情報記憶エリア２３ｂ８に記憶される。
【００７４】
Ｓ１０６の処理では、ＬＣＤ４１の左画面４１ａに表示されたテンプレートのうちいずれかのテンプレートがタッチされたか否かを判別し（Ｓ１０６）、テンプレートがタッチされていないと判別されると（Ｓ１０６：Ｎｏ）、Ｓ１０７及びＳ１０８の処理を実行せずに、Ｓ１０９の処理へ移行する。
【００７５】
一方、Ｓ１０６の処理で、操作者によりテンプレートがタッチされたと判別されると（Ｓ１０６：Ｙｅｓ）、タッチされたテンプレートにおいて、画像が表示される位置およびその形状に応じて画像をトリミングし、トリミング後の画像に対応した画像情報を画像情報記憶エリア２３ｂに記憶する（Ｓ１０７）。そして、画像情報記憶エリア２３ｂに記憶される全ての情報に基づいて画像を表示し（Ｓ１０８）、Ｓ１０９の処理へ移行する。
【００７６】
なお、Ｓ１０７の処理で実行される画像のトリミングとは、テンプレートにより予め設定された形状に画像を加工する処理である。また、テンプレートにより設定された画像の位置（例えば、右画面４１ｂ上の座標）を示す情報が位置情報記憶エリア２３ｂ１に記憶され、テンプレートにより設定された形状を示す情報がレイアウト情報記憶エリア２３ｂ２に記憶され、画像に付与または施されている属性がそれぞれ、補正情報記憶エリア２３ｂ３、大きさ情報記憶エリア２３ｂ４、色彩情報記憶エリア２３ｂ５、明度情報記憶エリア２３ｂ６、解像度情報記憶エリア２３ｂ７に記憶される。
【００７７】
図９（ｂ）に示すように、操作者によりテンプレートが選択されると、テンプレートに応じて画像が加工され、テンプレートに応じた位置に表示される。本実施形態では、画像Ａが左上で四角に加工され、画像Ｂが右上で丸に加工され、画像Ｃが左下で三角に加工されている。
【００７８】
また、操作者によりテンプレートが選択されると、ＬＣＤ４１の右画面４１ｂがテンプレートに応じて（画像数とその画像の位置とに応じて）複数の領域に分けられる。図９（ｂ）では、画像Ａに対応付けされた選択領域４１ｂ１と、画像Ｂに対応付けされた選択領域４１ｂ２と、画像Ｃに対応付けされた選択領域４１ｂ３と、画像が表示されていない選択領域４１ｂ４とに分けられている。
【００７９】
よって、操作者が選択領域４１ｂ１〜４１ｂ４のいずれかをタッチすると、そのタッチされた選択領域４１ｂ１〜４１ｂ４に応じた信号が出力され、ＣＰＵ２１によって、タッチされた選択領域４１ｂ１〜４１ｂ４を認識することができる。そして、タッチされた選択領域４１ｂ１〜４１ｂ４を認識することで、その選択領域４１ｂ１〜４１ｂ４に対応付けさた画像を認識し、画像が選択されたと確認することができる。なお、選択領域４１ｂ４には画像が表示されていないので、その選択領域４１ｂ４は無効領域となり、タッチされても画像は選択されない。
【００８０】
Ｓ１０９の処理では、ＬＣＤ４１の右上部に表示された「ＯＫ」がタッチされたか否かを判別し（Ｓ１０９）、「ＯＫ」がタッチされていない判別されると（Ｓ１０９：Ｎｏ）、Ｓ１０６の処理へ戻り、テンプレートがタッチされたか否かを再度判別する。よって、操作者は、ＬＣＤ４１の右画面４１ｂを確認しつつ、テンプレートを複数種類選択できるので、所望の配置位置と形状となるテンプレートを決定することができる。
【００８１】
一方、Ｓ１０９の処理で、操作者により「ＯＫ」がタッチされたと判別されると（Ｓ１０９：Ｙｅｓ）、操作者により選択された画像およびテンプレートを編集する編集処理を実行し（Ｓ１１０）、その後、本処理を終了する。
【００８２】
図９（ｃ）には、操作者によりテンプレートが選択された後に、ＬＣＤ４１の右画面４１ｂの右上に表示された「ＯＫ」がタッチされた状態が図示されている。この図９（ｃ）の操作がなされると、Ｓ１０９の処理がＹｅｓとなる。
【００８３】
図４は、複合機１のＣＰＵ２１により実行される編集処理を示したフローチャートである。編集処理は、アルバム作成処理のＳ１１０の処理により実行される。
【００８４】
編集処理が実行されると、編集項目をＬＣＤ４１の左画面４１ａに表示する（Ｓ２０１）。本実施形態では、編集可能な項目として、配置された画像の位置を交換する（入れ替える）写真交換と、テンプレートの形状を交換するレイアウト交換と、画像に施された補正を交換する補正交換と、画像の大きさを交換する大きさ交換と、画像に付与された色彩を交換する色彩交換と、画像の明度を交換する明度交換と、画像の解像度を交換する解像度交換と、上記全てを交換するまるごと交換とがある。
【００８５】
図１０（ａ）に示すように、ＬＣＤ４１の左画面４１ａには、写真交換に対応した「写真交換」と、レイアウト交換に対応した「レイアウト交換」と、まるごと交換に対応した「まるごと交換」と、補正交換に対応した「補正交換」と、大きさ交換に対応した「大きさ交換」と、色彩交換に対応した「色彩交換」と、明度交換に対応した「明度交換」と、解像度効果に対応した「解像度交換」と、編集を終了する「編集終了」とが表示されている。この編集項目のいずれか又は「編集終了」がタッチされると、その編集項目または編集終了が選択される。
【００８６】
Ｓ２０２の処理では、編集項目（「編集終了」以外）がタッチされたか否かを判別し（Ｓ２０２）、編集項目がタッチされていないと判別されると（Ｓ２０２：Ｎｏ）、「編集終了」がタッチされたか否かを判別する（Ｓ２０３）。
【００８７】
Ｓ２０３の処理で、「編集終了」がタッチされていないと判別されると（Ｓ２０３：Ｎｏ）、Ｓ２０２の処理へ戻り、編集項目か「編集終了」が操作者によりタッチされるまで、Ｓ２０２の処理とＳ２０３の処理とを繰り返し実行する。
【００８８】
図１０（ｂ）には、編集項目として「写真交換」が操作者によりタッチされた状態を図示している。図示するように、操作者が編集項目が表示された領域を指などで押圧することで、１の編集項目を選択することができる。
【００８９】
また、図１０（ｃ）に示すように、操作者により編集項目がタッチされると、そのタッチされた編集項目が選択されたことを示すように点灯表示される。本実施形態では、１の編集項目が選択されると、その編集項目の編集が終了するまで保持されるように構成されている。なお、編集項目が設定されると、ＬＣＤ４１の右上に「画像１を選択して下さい」の表示がなされ、操作者に次の手順を示唆する（図１１（ａ）参照）。
【００９０】
一方、Ｓ２０３の処理で、「編集終了」がタッチされたと判別されると（Ｓ２０３：Ｙｅｓ）、編集を終了するために、「プリントする」および「保存する」の表示をＬＣＤ４１の左画面４１ａに表示する（Ｓ２０４）。よって、操作者は、編集した画像をプリントするか保存するかを選択することができる。
【００９１】
そして、Ｓ２０５の処理では、操作者により「プリントする」がタッチされたか否かを判別し（Ｓ２０５）、操作者により「プリントする」がタッチされていれば（Ｓ２０５：Ｙｅｓ）、印刷処理を実行し（Ｓ２０６）、「保存する」がタッチされていれば（Ｓ２０５：Ｎｏ）、保存処理を実行して（Ｓ２０７）、本処理を終了する。
【００９２】
Ｓ２０６の印刷処理は、プリンタ２に対してＬＣＤ４１の右画面４１ｂに表示されている表示態様にて印刷がなされるよう指示する処理であり、Ｓ２０７の保存処理は、画像情報記憶エリア２３ｂに記憶されている情報を、ＲＡＭ２３の他のエリアに記憶して保存する処理である。なお、保存処理は、メモリカードに直接記憶するように構成しても良い。また、印刷処理および保存処理の両方を選択可能に構成しても良い。
【００９３】
一方、Ｓ２０２の処理で、いずれかの編集項目がタッチされていると判別されると（Ｓ２０２：Ｙｅｓ）、そのタッチされた編集項目が写真交換であるか（Ｓ２１１）、レイアウト交換であるか（Ｓ２１２）、補正交換であるか（Ｓ２１３）、大きさ交換であるか（Ｓ２１４）、色彩交換であるか（Ｓ２１５）、明度交換であるか（Ｓ２１６）、解像度交換であるか（Ｓ２１７）、まるごと交換であるか（Ｓ２１８）、判別される。
【００９４】
操作者によりタッチされた編集項目が写真交換であれば（Ｓ２１１：Ｙｅｓ）、写真交換処理を実行し（Ｓ２２１）、レイアウト交換であれば（Ｓ２１１：Ｎｏ、Ｓ２１２：Ｙｅｓ）、レイアウト交換処理を実行し（Ｓ２２２）、補正交換であれば（Ｓ２１１：Ｎｏ、Ｓ２１２：Ｎｏ、Ｓ２１３：Ｙｅｓ）、補正交換処理を実行し（Ｓ２２３）、大きさ交換であれば（Ｓ２１１：Ｎｏ、Ｓ２１２：Ｎｏ、Ｓ２１３：Ｎｏ、Ｓ２１４：Ｙｅｓ）、大きさ交換処理を実行し（Ｓ２２４）、色彩交換であれば（Ｓ２１１：Ｎｏ、Ｓ２１２：Ｎｏ、Ｓ２１３：Ｎｏ、Ｓ２１４：Ｎｏ、Ｓ２１５：Ｙｅｓ）、色彩交換処理を実行し（Ｓ２２５）、明度交換であれば（Ｓ２１１：Ｎｏ、Ｓ２１２：Ｎｏ、Ｓ２１３：Ｎｏ、Ｓ２１４：Ｎｏ、Ｓ２１５：Ｎｏ、Ｓ２１６：Ｙｅｓ）、明度交換処理を実行し（Ｓ２２６）、解像度交換であれば（Ｓ２１１：Ｎｏ、Ｓ２１２：Ｎｏ、Ｓ２１３：Ｎｏ、Ｓ２１４：Ｎｏ、Ｓ２１５：Ｎｏ、Ｓ２１６：Ｎｏ、Ｓ２１７：Ｙｅｓ）、解像度交換処理を実行し（Ｓ２２７）、まるごと交換であれば（Ｓ２１１：Ｎｏ、Ｓ２１２：Ｎｏ、Ｓ２１３：Ｎｏ、Ｓ２１４：Ｎｏ、Ｓ２１５：Ｎｏ、Ｓ２１６：Ｎｏ、Ｓ２１７：Ｎｏ、Ｓ２１８：Ｙｅｓ）、まるごと交換処理を実行し（Ｓ２２７）、Ｓ２０２の処理へ戻る。
【００９５】
また、操作者により編集項目がタッチされたと判別された場合に（Ｓ２０２：Ｙｅｓ）、Ｓ２１１〜Ｓ２１８の処理がＮｏと判別された場合にも、Ｓ２０２の処理へ戻る。この場合には、編集項目はタッチされていると判別されているため、いずれかの編集項目に対応した処理が実行されるまで、Ｓ２１１〜Ｓ２１８の処理が繰り返し実行される。
【００９６】
ここで、図５〜図７を参照して、Ｓ２２１〜Ｓ２２８の各交換処理について説明する。図５は、複合機１のＣＰＵ２１により実行される交換処理を示したフローチャートであり、図５（ａ）は、写真交換処理を示したフローチャートであり、図５（ｂ）は、レイアウト交換処理を示したフローチャートであり、図５（ｃ）は、補正交換処理を示したフローチャートであり、図５（ｄ）は、大きさ交換処理を示したフローチャートである。図６は、複合機１のＣＰＵ２１により実行される交換処理を示したフローチャートであり、図６（ａ）は、色彩交換処理を示したフローチャートであり、図６（ｂ）は、明度交換処理を示したフローチャートであり、図６（ｃ）は、解像度交換処理を示したフローチャートであり、図６（ｄ）は、丸ごと交換処理を示したフローチャートである。図７は、複合機１のＣＰＵ２１により実行される２画像選択処理を示したフローチャートである。
【００９７】
まず、図５（ａ）を参照して、写真交換処理について説明する。編集処理のＳ２２１の処理で写真交換処理が実行されると、２画像選択処理が実行される（Ｓ３０１）。ここで、図７を参照して、２画像選択処理について説明する。
【００９８】
２画像選択処理が実行されると、ＬＣＤ４１の右画面４１ｂに表示された選択領域４１ｂ１〜４１ｂ４がタッチされたか否かを判別し（Ｓ１１０１）、選択領域４１ｂ１〜４１ｂ４がタッチされていなければ（Ｓ１１０１：Ｎｏ）、選択領域４１ｂ１〜４１ｂ４がタッチされるまで待機する。
【００９９】
一方、Ｓ１１０１の処理で、操作者により選択領域４１ｂ１〜４１ｂ４がタッチされていると判別されると（Ｓ１１０１：Ｙｅｓ）、そのタッチされた選択領域４１ｂ１〜４１ｂ４が有効領域であるか否かを判別する（Ｓ１１０２）。選択領域４１ｂ１〜４１ｂ４は、選択領域４１ｂ１〜４１ｂ３に画像が表示され対応付けされているので、選択領域４１ｂ１〜４１ｂ３が有効領域となり、選択領域４１ｂ４が無効領域（有効領域でない）となる。
【０１００】
Ｓ１１０２の処理で、操作者によりタッチされた選択領域４１ｂ１〜４１ｂ４が有効領域でないと判別されると（Ｓ１１０２：Ｎｏ）、Ｓ１１０１の処理へ戻り、有効領域となる選択領域４１ｂ１〜４１ｂ３がタッチされるまで、Ｓ１１０１の処理およびＳ１１０２の処理が繰り返し実行される。
【０１０１】
なお、図１１（ａ）に示すように、本実施形態では、まず、１つ目の画像の選択として、操作者により選択領域４１ｂ２がタッチされた場合について説明する。
【０１０２】
Ｓ１１０２の処理で、有効領域となる選択領域４１ｂ２がタッチされると（Ｓ１１０２：Ｙｅｓ）、そのタッチされた選択領域４１ｂ２に表示されている画像Ｂを１つの目の画像として設定し（Ｓ１１０３）、Ｓ１１０４の処理へ移行する。なお、Ｓ１１０３の処理が実行されて１つ目の画像が設定されると、図１１（ｂ）に示すように、ＬＣＤ４１の右上に「画像２を選択して下さい」の表示がなされ、１つ目の画像が正常に選択されたことを操作者に認識させることができる。
【０１０３】
Ｓ１１０４の処理では、ＬＣＤ４１の右画面４１ｂに表示された選択領域４１ｂ１〜４１ｂ４が、再度タッチされたか否かを判別し（Ｓ１１０４）、選択領域４１ｂ１〜４１ｂ４がタッチされていないと判別されると（Ｓ１１０１：Ｎｏ）、選択領域４１ｂ１〜４１ｂ４がタッチされるまで待機する。
【０１０４】
一方、Ｓ１１０４の処理で、操作者により選択領域４１ｂ１〜４１ｂ４がタッチされたと判別されると（Ｓ１１０４：Ｙｅｓ）、そのタッチされた選択領域４１ｂ１〜４１ｂ４が有効領域であるか否かを判別する（Ｓ１１０５）。
【０１０５】
Ｓ１１０５の処理で、操作者によりタッチされた選択領域４１ｂ１〜４１ｂ４が有効領域でないと判別されると（Ｓ１１０５：Ｎｏ）、Ｓ１１０４の処理へ戻り、有効領域となる選択領域４１ｂ１〜４１ｂ３がタッチされるまで、Ｓ１１０４の処理およびＳ１１０５の処理が繰り返し実行される。
【０１０６】
一方、Ｓ１１０５の処理で、操作者によりタッチされた選択領域４１ｂ１〜４１ｂ４が有効領域である選択領域４１ｂ１〜４１ｂ３であると判別されると（Ｓ１１０５：Ｙｅｓ）、次に、そのタッチされた選択領域４１ｂ１〜４１ｂ３が１つ目の画像と同じであるか否かを判別する（Ｓ１１０６）。即ち、Ｓ１１０６の処理では、操作者によりタッチされた領域が選択領域４１ｂ２であるか否かを判別することになる。
【０１０７】
Ｓ１１０６の処理で、操作者によりタッチされた有効領域となる選択領域４１ｂ１〜４１ｂ３が１つ目の画像と同じ、即ち、選択領域４１ｂ２であれば（Ｓ１１０６：Ｙｅｓ）、Ｓ１１０４の処理へ戻り、他の画像に対応付けされた選択領域４１ｂ１，４１ｂ３がタッチされるまで、Ｓ１１０４〜Ｓ１１０６の処理を繰り返し実行する。
【０１０８】
よって、操作者が誤って短時間に連続して同じ選択領域４１ｂ１〜４１ｂ３をタッチしてしまった場合などは、その２回目以降のタッチを無効としている（無効手段）。例えば、同じ画像が連続して選択されてしまうと、処理上は同じ情報が入れ替えられるので、見た目上は全く変化がなくなってしまう。この場合、写真交換処理は終了しているが、操作者は、まだ次の画像を選択していないと認識して選択領域４１ｂ１〜４１ｂ３をタッチする。しかし、写真交換処理は終了しているので、画像の選択ができず、操作者は、再度、最初から操作をし直すことになり、使い勝手が悪くなってしまう。そこで、本実施形態では、２つ目の画像として、１つ目の画像と同一の画像が選択された場合には、その操作を無効とすることで、使い勝手が悪くなることを防止している。
【０１０９】
Ｓ１１０６の処理で、操作者によりタッチされた選択領域４１ｂ１〜４１ｂ３が１つ目の画像と違う、即ち、選択領域４１ｂ１か選択領域４１ｂ３が選択されていると判別されると（Ｓ１１０６：Ｎｏ）、そのタッチされた選択領域４１ｂ１〜４１ｂ３に対応付けされた画像を２つ目の画像に設定して（Ｓ１１０７）、本処理を終了する。
【０１１０】
なお、図１１（ｂ）に示すように、本実施形態では、２つ目の画像の選択として、操作者により選択領域４１ｂ３がタッチされた場合について説明する。
【０１１１】
図５（ａ）に戻って、Ｓ３０２以降の処理について説明する。Ｓ３０１の２画像選択処理により２つの画像が選択されると、１つ目の画像に対応した位置情報およびレイアウト情報と、２つ目の画像に対応した位置情報およびレイアウト情報とを交換して記憶し（Ｓ３０２）、その１つ目の画像および２つ目の画像に対応した画像情報記憶エリア２３ｂに記憶される情報に基づいて、画像を作成し、ＬＣＤ４１に再表示して（Ｓ３０３）、本処理を終了する。
【０１１２】
なお、Ｓ３０３の処理では、まず、画像情報記憶エリア２３ｂに記憶されている情報に基づいて、画像を加工し、その加工後の画像をＬＣＤ４１に表示する。つまり、位置情報が変更されて画像が表示される位置が変更されるだけでなく、レイアウト情報が変更されてテンプレートの形状が変更されるので、画像の形状が変更され、その変更後の画像を位置情報に応じた位置に表示する処理である。
【０１１３】
図１１（ｃ）には、Ｓ３０３の処理が実行され、画像Ｂと画像Ｃとの位置が入れ替わった状態を図示している。図示するように、画像Ｂと画像Ｃとの位置が入れ替わっている。また、テンプレートのレイアウト（形状の位置）自体は変更されずに、画像Ｃが丸に加工されており、画像Ｂが三角に加工されている。以上の通り、画像Ｂをタッチして選択する操作と、画像Ｃをタッチして選択する操作との２つの操作のみで画像の位置を入れ替えることができる。
【０１１４】
以下に、レイアウト交換処理および補正交換処理、大きさ交換処理、色彩交換処理、明度交換処理、解像度交換処理、まるごと交換処理について簡単に説明する。また、レイアウト交換処理についてのみ、図１１（ｄ）を参照して説明する。
【０１１５】
図５（ｂ）に示すレイアウト交換処理が実行されると、図７に示す２画像選択処理が実行され（Ｓ４０１）、１つ目の画像に対応したレイアウト情報と、２つ目の画像に対応したレイアウト情報とを交換して記憶し（Ｓ４０２）、その１つ目の画像および２つ目の画像に対応した画像情報記憶エリア２３ｂに記憶される情報に基づいて、画像を作成し、ＬＣＤ４１に再表示して（Ｓ４０３）、本処理を終了する。
【０１１６】
即ち、レイアウト交換処理では、画像の表示される位置は交換せずに、テンプレートの形状のみを変更する処理である。そのため、１つ目及び２つ目の画像に対応したレイアウト情報のみを交換して記憶している。このレイアウト交換が実行された状態が図１１（ｄ）であり、図１１（ｂ）に対して画像Ｂ，Ｃの位置は交換されずに、テンプレートのレイアウトのみが変更されていることが解る。
【０１１７】
図５（ｃ）に示す補正交換処理が実行されると、図７に示す２画像選択処理が実行され（Ｓ５０１）、１つ目の画像に対応した補正情報と、２つ目の画像に対応した補正情報とを交換して記憶し（Ｓ５０２）、その１つ目の画像および２つ目の画像に対応した画像情報記憶エリア２３ｂに記憶される情報に基づいて、画像を作成し、ＬＣＤ４１に再表示して（Ｓ５０３）、本処理を終了する。
【０１１８】
即ち、補正交換処理では、画像の表示される位置および形状は交換せずに、補正された内容（輪郭補正やぼかし補正など）のみを変更する処理である。そのため、１つ目及び２つ目の画像に対応した補正情報のみを交換して記憶している。
【０１１９】
図５（ｄ）に示す大きさ交換処理が実行されると、図７に示す２画像選択処理が実行され（Ｓ６０１）、１つ目の画像に対応した大きさ情報と、２つ目の画像に対応した大きさ情報とを交換して記憶し（Ｓ６０２）、その１つ目の画像および２つ目の画像に対応した画像情報記憶エリア２３ｂに記憶される情報に基づいて、画像を作成し、ＬＣＤ４１に再表示して（Ｓ６０３）、本処理を終了する。
【０１２０】
即ち、大きさ交換処理では、画像の表示される位置は交換せずに、画像の大きさのみを変更する処理である。そのため、１つ目及び２つ目の画像に対応した大きさ情報のみを交換して記憶している。
【０１２１】
図６（ａ）に示す色彩交換処理が実行されると、図７に示す２画像選択処理が実行され（Ｓ７０１）、１つ目の画像に対応した色彩情報と、２つ目の画像に対応した色彩情報とを交換して記憶し（Ｓ７０２）、その１つ目の画像および２つ目の画像に対応した画像情報記憶エリア２３ｂに記憶される情報に基づいて、画像を作成し、ＬＣＤ４１に再表示して（Ｓ５０３）、本処理を終了する。
【０１２２】
即ち、色彩交換処理では、画像の表示される位置および形状は交換せずに、設定された色彩（色の配合など）のみを変更する処理である。そのため、１つ目及び２つ目の画像に対応した色彩情報のみを交換して記憶している。
【０１２３】
図６（ｂ）に示す明度交換処理が実行されると、図７に示す２画像選択処理が実行され（Ｓ８０１）、１つ目の画像に対応した明度情報と、２つ目の画像に対応した明度情報とを交換して記憶し（Ｓ８０２）、その１つ目の画像および２つ目の画像に対応した画像情報記憶エリア２３ｂに記憶される情報に基づいて、画像を作成し、ＬＣＤ４１に再表示して（Ｓ８０３）、本処理を終了する。
【０１２４】
即ち、明度交換処理では、画像の表示される位置および形状は交換せずに、設定された明度（明るさ）のみを変更する処理である。そのため、１つ目及び２つ目の画像に対応した明度情報のみを交換して記憶している。
【０１２５】
図６（ｃ）に示す解像度交換処理が実行されると、図７に示す２画像選択処理が実行され（Ｓ９０１）、１つ目の画像に対応した解像度情報と、２つ目の画像に対応した解像度情報とを交換して記憶し（Ｓ９０２）、その１つ目の画像および２つ目の画像に対応した画像情報記憶エリア２３ｂに記憶される情報に基づいて、画像を作成し、ＬＣＤ４１に再表示して（Ｓ９０３）、本処理を終了する。
【０１２６】
即ち、解像度交換処理では、画像の表示される位置および形状は交換せずに、設定された解像度（画像の細かさ）のみを変更する処理である。そのため、１つ目及び２つ目の画像に対応した解像度情報のみを交換して記憶している。
【０１２７】
図６（ｄ）に示すまるごと交換処理が実行されると、図７に示す２画像選択処理が実行され（Ｓ１００１）、１つ目の画像に対応した描画情報以外の全ての情報と、２つ目の画像に対応した描画情報以外の全ての情報とを交換して記憶し（Ｓ１００２）、その１つ目の画像および２つ目の画像に対応した画像情報記憶エリア２３ｂに記憶される情報に基づいて、画像を作成し、ＬＣＤ４１に再表示して（Ｓ１００３）、本処理を終了する。
【０１２８】
なお、描画情報が交換されないのは、その描画情報がＬＣＤ４１に表示するための画像データであり、他の記憶エリア２３ｂ２〜２３ｂ７に記憶される情報に基づいて加工された元データとなるからである。
【０１２９】
また、上述したように、Ｓ２０２の処理およびＳ２０３の処理は、編集項目または「編集終了」がタッチされるまで、繰り返し実行されるので、画像の編集は、複数の項目を同じ画像に施すことができる。
【０１３０】
以上説明したように、写真交換処理では、ＬＣＤ４１の右画面４１ｂに表示されている画像のうち、２つの画像を選択すると、画像が表示される位置を示す位置情報が入れ替えられて位置情報記憶エリア２３ｂ１に記憶され、その入れ替えられた位置情報と描画情報記憶エリア２３ｂ８に記憶されている描画情報との組み合わせに基づいて、ＬＣＤ４１の右画面４１ｂに表示される画像が入れ替えられて再表示される。よって、操作者は、ＬＣＤ４１の右画面４１ｂに表示されている画像を２つタッチする操作のみで、画像の位置を入れ替えることができるので、簡単な操作で画像の入れ替えを行うことができる。
【０１３１】
また、レイアウト交換処理および補正交換処理、大きさ交換処理、色彩交換処理、明度交換処理、解像度交換処理では、ＬＣＤ４１の右画面４１ｂに表示されている画像のうち、２つの画像を選択すると、その処理に対応した各情報（属性）が入れ替えられて各記憶エリア２３ｂ２〜２３ｂ７に記憶され、その入れ替えられた各情報と描画情報との組み合わせに基づいて、ＬＣＤ４１の右画面４１に表示される画像の表示態様（属性）が入れ替えられて再表示される。よって、操作者は、ＬＣＤ４１の右画面４１ｂに表示されている画像を２つタッチする操作のみで、画像の属性を入れ替えることができるので、簡単な操作で属性の入れ替えを行うことができる。
【０１３２】
また、まるごと交換処理では、ＬＣＤ４１の右画面４１ｂに表示されている画像のうち、２つの画像を選択すると、選択された画像に対応する記憶エリア２３ｂ１〜２３ｂ７に記憶された情報が入れ替えられ、その入れ替えられた情報と描画情報との組み合わせに基づいて画像が再表示される。よって、操作者は、ＬＣＤ４１の右画面４１ｂに表示されている画像を２つタッチする操作のみで、画像の位置を入れ替えるだけでなく、全ての属性も入れ替えて再表示することができる。
【０１３３】
また、複合機１のＬＣＤ４１は、タッチパネルで構成されているので、ＬＣＤ４１の右画面４１ｂに表示される画像の入れ替えや属性の入れ替えの操作が、より簡単となる。よって、タッチパネルを採用することで、操作性をさらに向上することができる。
【０１３４】
なお、複合機１は、コピー動作、プリンタ動作、ファクシミリ動作を行うことができる複合機で形成されている。このため、往々にして、画像処理と並行してかかる動作が実行される。コピー動作においては、制御プログラム２２ａに従ってスキャナ３が制御される。プリンタ動作においては、プリンタ２に設けられた記録ヘッド２０１などが、制御プログラム２２ａに従って制御される。ファクシミリ動作においては、受信したデータが逐次記憶される。一般的な複合機は、画像処理に優先してコピー動作、プリンタ動作、ファクシミリ動作を行うように設計されている。このため、かかるコピー動作、プリンタ動作、ファクシミリ動作の制御（機械部品の制御）を行う際には、ＲＡＭ２３において、その制御を行うために必要なメモリ量が優先的に確保され、それ以外の処理に割当てできるメモリ量が削減（圧縮）されてしまう。その結果、通常のアルバム作成処理を行うために必要なメモリを、ＲＡＭ２３に確保することができないことが多い。
【０１３５】
そのため、画像をドラッグアンドドロップして画像を移動させつつ、その移動に伴った画像を逐次作成して表示すると、ＲＡＭ２３のメモリが確保できないため、表示画面においてスムーズな移動の表示ができないなどの問題がある。
【０１３６】
しかし、画像の位置の入れ替えや、画像の属性の入れ替えは、１の画像をタッチし他の画像をタッチする操作のみで実行できるので、ＲＡＭ２３に確保できるメモリ領域が少ない場合であってもスムーズ制御を実行することができる。よって、画像の位置や属性の入れ替えを２つの画像をタッチする操作のみで実行することは、複合機１に適した技術である。
【０１３７】
以上、実施形態に基づいて本発明を説明したが、本発明は上記各実施形態に何ら限定されるものでなく、本発明の趣旨を逸脱しない範囲内で種々の改良変形が可能であることは容易に推察できるものである。
【０１３８】
例えば、上記実施形態では、描画情報記憶エリア２３ｂ８に記憶されている描画情報の交換を行わずに、他の記憶エリア２３ｂ１〜２３ｂ７に記憶されている情報を交換して記憶するものとしたが、他の記憶エリア２３ｂ１〜２３ｂ７に記憶されている情報の交換を行わずに、描画情報記憶エリア２３ｂ８に記憶されている描画情報を交換して記憶する構成としても良い。即ち、操作者によりタッチされた画像の位置や表示態様（属性）が入れ替わって表示されれば良いので、描画情報か他の情報かのいずれか一方が交換されて記憶されれば良い。
【０１３９】
また、上記実施形態では、ＬＣＤ４１をタッチパネルで構成するものとしたが、例えば、ＬＣＤ４１上にカーソルを表示し、操作キー４０によりカーソルを移動し決定する構成としても良い。なお、タッチパネルの形式を特に限定する必要はなく、タッチパネルへの押圧を検知するものでも、接触を検知するものでも、指や棒などの接近を検知する形式であっても良い。
【０１４０】
また、上記実施形態では、画像の入れ替えおよび属性の入れ替えを２つの画像間で行うものとしたが、３以上の画像間で行うように構成しても良い。この構成では、例えば、選択された画像に順番を付け、それぞれ１ずつシフトして情報を入れ替えるなどの法則を予め定めておくほうが好ましい。
【０１４１】
また、上記実施形態では、画像の位置や属性の入れ替えを行うアルバム作成処理を複合機１において実行するものとしたが、パーソナルコンピュータにおいて実行するものとしても良く、プログラムを実行可能な演算装置と、画像を表示可能な表示装置とを備える構成であれば、如何なる装置に適用するものとしても良い。
【０１４２】
また、上記実施形態では、写真交換、レイアウト交換、補正交換、大きさ交換、色彩交換、明度交換、解像度交換の１の編集項目を実行するか、全てを交換するまるごと交換を実行するかにしたが、その組み合わせは如何なるものであっても良い。
【０１４３】
なお、請求項１記載の画像処理装置の選択手段および請求項８記載の画像処理プログラムの選択ステップとしては図７のＳ１１０３及びＳ１１０７の処理が該当し、請求項１記載の画像処理装置の入替記憶手段および請求項８記載の画像処理プログラムの入替記憶ステップとしては図５（ａ）のＳ３０２の処理が該当し、請求項１記載の画像処理装置の表示手段および請求項８記載の画像処理プログラムの表示ステップとしては図５（ａ）のＳ３０３の処理が該当し、請求項２記載の画像処理装置の入替手段としては図６（ｄ）のＳ１００２の処理が該当し、請求項２記載の画像処理装置の表示手段としては図６（ｄ）のＳ１００３の処理が該当する。
【０１４４】
また、請求項３記載の画像処理装置の選択手段および請求項９記載の画像処理プログラムの選択ステップとしては図７のＳ１１０３及びＳ１１０７の処理が該当し、請求項３記載の画像処理装置の入替記憶手段および請求項９記載の画像処理プログラムの入替記憶ステップとしては図５（ｂ）のＳ４０２の処理および図５（ｃ）のＳ５０２の処理、図５（ｄ）のＳ６０２の処理、図６（ａ）のＳ７０２の処理、図６（ｂ）のＳ８０２の処理、図６（ｃ）のＳ９０２の処理が該当し、請求項３記載の画像処理装置の表示手段および請求項９記載の画像処理プログラムの表示ステップとしては図５（ｂ）のＳ４０３の処理および図５（ｃ）のＳ５０３の処理、図５（ｄ）のＳ６０３の処理、図６（ａ）のＳ７０３の処理、図６（ｂ）のＳ８０３の処理、図６（ｃ）のＳ９０３の処理が該当する。
【０１４５】
また、請求項４記載の画像処理装置の無効手段としては図７のＳ１１０６の処理がＹｅｓの場合が該当し、請求項５及び６に記載の画像処理装置の選択手段としては図７のＳ１１０２の処理がＹｅｓの場合およびＳ１１０５の処理がＹｅｓの場合が該当する。
【図面の簡単な説明】
【０１４６】
【図１】本発明の一実施形態の複合機の外観図である。
【図２】複合機の電気的構成を示すブロック図である。
【図３】複合機のＣＰＵにより実行されるアルバム作成処理を示したフローチャートである。
【図４】複合機のＣＰＵにより実行される編集処理を示したフローチャートである。
【図５】複合機のＣＰＵにより実行される交換処理を示したフローチャートである。
【図６】複合機のＣＰＵにより実行される交換処理を示したフローチャートである。
【図７】複合機のＣＰＵにより実行される２画像選択処理を示したフローチャートである。
【図８】液晶ディスプレイの表示態様の一例を示した図である。
【図９】液晶ディスプレイの表示態様の一例を示した図である。
【図１０】液晶ディスプレイの表示態様の一例を示した図である。
【図１１】液晶ディスプレイの表示態様の一例を示した図である。
【符号の説明】
【０１４７】
１                  複合機（画像処理装置）
２１                ＣＰＵ
２２                ＲＯＭ
２３                ＲＡＭ（記憶手段）
２３ｂ              画像情報記憶エリア（記憶手段）
４１                液晶ディスプレイ（ＬＣＤ、表示装置）
４１ａ              左画面（表示画面の一部）
４１ｂ              右画面（表示画面の一部）
４１ｂ１〜４１ｂ４  選択領域
【図１】
2008294523.tif 000003
【図２】
2008294523.tif 000004
【図３】
2008294523.tif 000005
【図４】
2008294523.tif 000006
【図５】
2008294523.tif 000007
【図６】
2008294523.tif 000008
【図７】
2008294523.tif 000009
【図８】
2008294523.tif 000010
【図９】
2008294523.tif 000011
【図１０】
2008294523.tif 000012
【図１１】
2008294523.tif 000013